(57)【特許請求の範囲】
【請求項１】
患者に対して血液浄化治療を施す装置本体を具備するとともに、当該装置本体に対して血液浄化治療に関わる操作者が入力可能な入力手段と、患者又は装置本体に異常が生じたとき警報音を発して報知する警報手段とを有した血液浄化装置において、
前記装置本体近傍に前記操作者がいるか否かを検出する操作者検出手段と、
前記入力手段に対する入力操作の有無を検出する入力操作検出手段と、
前記操作者検出手段による前記操作者の検出、前記入力操作検出手段による入力操作の検出の少なくとも何れか一方を条件として、前記警報手段により発せられる警報音を変更する警報音変更手段と、
を備えたことを特徴とする血液浄化装置。
【請求項２】
前記操作者検出手段は、
前記装置本体に取り付けられ、前記操作者の個人情報が記録された個人情報送信手段から無線にて送信された情報を非接触にて読み取り可能な読取手段と、
該読取手段で読み取られた情報に基づき、前記装置本体近傍の操作者が正当な権限を有する正当操作者であるか否かを判定する判定手段と、
を有するとともに、当該判定手段で正当操作者であると判定されたことを条件として、前記警報音変更手段による警報音の変更を行わせることを特徴とする請求項１記載の血液浄化装置。
【請求項３】
前記警報音変更手段は、前記警報手段により発せられる警報音の音量を低減させるものであることを特徴とする請求項１又は請求項２記載の血液浄化装置。
【請求項４】
前記警報音変更手段は、前記警報手段により発せられる警報音の音色を変更させるものであることを特徴とする請求項１〜３の何れか１つに記載の血液浄化装置。
【請求項５】
前記警報手段は、前記装置本体に取り付けられた複数のスピーカを有して成るとともに、前記警報音変更手段は、警報音を発するスピーカを選択し得るものであることを特徴とする請求項１〜４の何れか１つに記載の血液浄化装置。
【請求項６】
前記警報音変更手段により変更された警報音は、所定時間経過後、元の警報音に復帰することを特徴とする請求項１〜５の何れか１つに記載の血液浄化装置。
【発明の詳細な説明】
【技術分野】
【０００１】
本発明は、患者に対して血液浄化治療を施す装置本体を具備するとともに、当該装置本体に対して血液浄化治療に関わる操作者が入力可能な入力手段と、患者又は装置本体に異常が生じたとき警報音を発して報知する警報手段とを有した血液浄化装置に関するものである。
【背景技術】
【０００２】
血液透析（ＨＤ）を行うための血液透析装置は、腎機能に障害を生じた患者を治療する装置であり、ダイアライザ等の半透膜を隔てて血液と透析液とを流通させることにより、拡散による溶質除去及び限外濾過による余剰水分除去（除水）を行うよう構成されている。然るに、透析治療中、患者や装置本体に異常が生じた際、警報音（警報ブザー）を発して医療従事者に報知する報知手段を具備したものが提供されるに至っている。尚、かかる先行技術は、文献公知発明に係るものでないため、記載すべき先行技術文献情報はない。
【発明の開示】
【発明が解決しようとする課題】
【０００３】
しかしながら、上記従来の血液浄化装置においては、警報手段により発せられる警報音が比較的大きな音量に設定されているため、当該警報音が頻繁に発せられると、同一室内で治療を受けている他の患者に対して不快な思いをさせる虞があった。特に、警報への対処の途中に、手技上、別の警報が誘発された場合、操作者が目の前にいるにもかかわらず、遠方にいる医療従事者にも確実に聞こえるよう比較的大きな音量に警報音が設定されていることから、その警報音が発せられる装置本体に近い位置で治療を受けている患者にとっては耳元で警報が何度も鳴ることとなり、当該患者の行動（読書やテレビ鑑賞、或いは睡眠）を妨げてしまう。
【０００４】
而して、医療従事者等の操作者が装置本体の近傍に居て何らかの操作を行っている際には、比較的小さな音量で警報音を発すれば足りるのであるが、従来の血液浄化装置においては、その場合でも比較的大きな音量で警報音が発せられてしまい、他の患者（警報音が発せられている装置で治療を受けている患者も同様）にとって耐え難い状況となっているのが実情である。
【０００５】
また、ある警報を解除するために、患者又は装置本体の前で処置（操作）を行っている際、更に警報が鳴ると操作者に心理的負荷をかけてしまい、ミスを誘発する可能性がある。また、透析治療中、警報状態になると、周囲にいる技士の気を引いてしまうため、警報が頻繁に鳴ると、医療従事者が他の作業を行うときに気が散ってしまう。
【０００６】
本発明は、このような事情に鑑みてなされたもので、状況に応じて所望の警報音に変更することができ、当該警報音による患者や医療従事者の精神的弊害を低減させることができる血液浄化装置を提供することにある。
【課題を解決するための手段】
【０００７】
請求項１記載の発明は、患者に対して血液浄化治療を施す装置本体を具備するとともに、当該装置本体に対して血液浄化治療に関わる操作者が入力可能な入力手段と、患者又は装置本体に異常が生じたとき警報音を発して報知する警報手段とを有した血液浄化装置において、前記装置本体近傍に前記操作者がいるか否かを検出する操作者検出手段と、前記入力手段に対する入力操作の有無を検出する入力操作検出手段と、前記操作者検出手段による前記操作者の検出、前記入力操作検出手段による入力操作の検出の少なくとも何れか一方を条件として、前記警報手段により発せられる警報音を変更する警報音変更手段とを備えたことを特徴とする。
【０００８】
請求項２記載の発明は、請求項１記載の血液浄化装置において、前記操作者検出手段は、前記装置本体に取り付けられ、前記操作者の個人情報が記録された個人情報送信手段から無線にて送信された情報を非接触にて読み取り可能な読取手段と、該読取手段で読み取られた情報に基づき、前記装置本体近傍の操作者が正当な権限を有する正当操作者であるか否かを判定する判定手段とを有するとともに、当該判定手段で正当操作者であると判定されたことを条件として、前記警報音変更手段による警報音の変更を行わせることを特徴とする。
【０００９】
請求項３記載の発明は、請求項１又は請求項２記載の血液浄化装置において、前記警報音変更手段は、前記警報手段により発せられる警報音の音量を低減させるものであることを特徴とする。
【００１０】
請求項４記載の発明は、請求項１〜３の何れか１つに記載の血液浄化装置において、前記警報音変更手段は、前記警報手段により発せられる警報音の音色を変更させるものであることを特徴とする。
【００１１】
請求項５記載の発明は、請求項１〜４の何れか１つに記載の血液浄化装置において、前記警報手段は、前記装置本体に取り付けられた複数のスピーカを有して成るとともに、前記警報音変更手段は、警報音を発するスピーカを選択し得るものであることを特徴とする。
【００１２】
請求項６記載の発明は、請求項１〜５の何れか１つに記載の血液浄化装置において、前記警報音変更手段により変更された警報音は、所定時間経過後、元の警報音に復帰することを特徴とする。
【発明の効果】
【００１３】
請求項１の発明によれば、操作者検出手段による操作者の検出、入力操作検出手段による入力操作の検出の少なくとも何れか一方を条件として、警報手段により発せられる警報音を変更するので、状況に応じて所望の警報音に変更することができ、当該警報音による患者の精神的弊害を低減させることができる。
【００１４】
請求項２の発明によれば、正当操作者であると判定されたことを条件として、警報音変更手段による警報音の変更を行わせるので、正当操作者以外によって不用意に警報音が変更されてしまうのを回避することができる。
【００１５】
請求項３の発明によれば、警報音変更手段は、警報手段により発せられる警報音の音量を低減させるものであるので、より確実に警報音による患者の精神的弊害を低減させることができる。
【００１６】
請求項４の発明によれば、警報音変更手段は、警報手段により発せられる警報音の音色を変更させるものであるので、患者にとってあまり耳障りとならない警報音とすることができ、より患者の精神的弊害を低減させることができる。
【００１７】
請求項５の発明によれば、警報手段は、装置本体に取り付けられた複数のスピーカを有して成るとともに、警報音変更手段は、警報音を発するスピーカを選択し得るものであるので、周囲の医療従事者への報知を確実に行わせつつ警報音による患者の精神的弊害を低減させることができる。
【００１８】
請求項６の発明によれば、警報音変更手段により変更された警報音は、所定時間経過後、元の警報音に復帰するので、操作者検出手段で操作者を検出し、且つ、入力操作検出手段で入力操作を検出していても、長時間、患者又は装置本体の異常が続いた場合、自動的に変更前の通常の警告音とすることができる。
【発明を実施するための最良の形態】
【００１９】
以下、本発明の実施形態について図面を参照しながら具体的に説明する。
第１の実施形態に係る血液浄化装置は、図１〜図３に示すように、ベッドＢに横臥又は着座した患者Ｙに対して血液浄化治療を施す装置本体１を具備するとともに、当該装置本体１に対して血液浄化治療に関わる操作者Ｘが入力可能な入力手段２と、患者Ｙ又は装置本体１に異常が生じたとき警報音を発して報知する警報手段６（図３参照）とを有したものである。
【００２０】
装置本体１は、血液透析（ＨＤ）、血液透析濾過（ＨＤＦ）、血液濾過（ＨＦ）又は持続緩徐式血液濾過（ＣＨＦ）等の治療を施すことが可能な血液浄化装置から成り、例えば血液ポンプ、補液ポンプ、気泡検出器、シリンジポンプ及び液晶モニタ等、患者に対して血液浄化治療を施すための種々機器を構成する治療部７（図３参照）を有して構成されている。尚、本実施形態においては、血液透析治療を行い得る透析装置に適用しているが、これに代えて他の血液浄化治療（血漿交換や二重濾過血漿交換等）を行う装置に適用してもよい。また、本実施形態においては、装置本体１は、血液回路に接続されたダイアライザに透析液を供給し得るとともに、当該ダイアライザからの排液を排出させ得るよう構成されている。
【００２１】
入力手段２は、図２に示すように、患者Ｙ及び装置本体１の状態を表示する画面２ａを有するとともに当該画面２ａの所定位置を操作者Ｘが触れることにより入力操作可能なタッチパネルモニタから成るものである。具体的には、治療中における患者Ｙのバイタルサイン（血圧などの生体情報）や除水の進行具合が画面２ａにて表示されるとともに、当該画面２ａにおける符号２ａａ〜２ａｅで示す何れかの位置を触れることにより、その表示に従う入力がなされるよう構成されているのである。
【００２２】
更に、画面２ａの下部には、電源の入切操作や装置本体１の治療部７に対する操作を行わせる操作ボタン２ｂ（血液ポンプの操作ボタン２ｂａ、警報ブザーの停止ボタン２ｂｂ、及び電源ボタン２ｂｃ）が形成されている。かかる操作ボタン２ｂによっても、血液浄化治療に係わる動作又は表示を任意操作すべく入力可能とされている。尚、同図中符号Ｓは、装置本体１正面の操作者Ｘを検知し得る赤外線センサを示している。
【００２３】
装置本体１には、図３に示すように、操作者検出手段３と、入力操作検出手段４と、警報音変更手段５と、警報手段６と、治療部７と、異常検知手段８とが配設されている。このうち、治療部７は、既述の如く患者Ｙに対して血液浄化治療（血液透析治療）を行うための部位であり、かかる治療部７の異常（各種構成部品の不具合等）や患者Ｙの異常（バイタルサインの異常等）を異常検知手段８が検知し得るよう構成されている。
【００２４】
警報手段６は、異常検知手段８が異常を検知すると所定の警報音を発し得るスピーカから成るもので、装置本体１内に配設されつつ外側に向かって当該警報音を発し得るとともに、入力手段２における停止ボタン２ｂｂを操作したり或いは画面２ａの位置２ａｃを触れることにより、警報音を停止し得るよう構成されている。かかる警報手段６で発せられる警報音は、後述する警報音変更手段５で変更される前は、例えば周囲１ｍの距離での音圧レベルが約６５ｄｂの警報ブザーとなるよう設定されている。
【００２５】
操作者検出手段３は、赤外線センサＳによる検知に基づいて、装置本体１近傍（本実施形態においては装置本体１の正面の操作位置）に操作者Ｘがいるか否かを検出するためのものであり、検出信号を後述する警報音変更手段５に送信可能とされている。即ち、赤外線センサＳは、その検知範囲が装置本体１の操作位置となるよう設定されており、当該操作位置に操作者Ｘが立つと、それを検知し得るよう構成されているのである。尚、操作者検出手段３は、非接触式センサ及び接触式センサの何れであってもよく、非接触式センサであっても赤外線センサ以外のものであってもよい。
【００２６】
入力操作検出手段４は、入力手段２と電気的に接続され、当該入力手段２に対する入力操作の有無を検出するためのものである。具体的には、入力手段２に対する入力操作が行われると、それを入力操作検出手段４が検出し、その検出信号を後述する警報音変更手段５に送信可能とされている。これにより、警報音変更手段５には、操作者検出手段３からの検出信号に加え、入力操作検出手段４からの検出信号が送信されることとなる。
【００２７】
警報音変更手段５は、操作者検出手段３で操作者Ｘを検出し、且つ、入力操作検出手段４で入力操作を検出したことを条件として、警報手段６により発せられる警報音を変更するためのものである。より具体的には、警報音変更手段５は、警報手段６により発せられる警報音の音量を低減させ、或いは警報手段６により発せられる警報音の音色を変更させるよう構成されている。
【００２８】
例えば、警報音の音量を１ｍ周囲の音圧レベルが６５ｄｂ以下の警報ブザーとしたり、或いは警報ブザーに代えて患者にあまり圧迫感を感じさせない音色の警報音（オルゴールを模した音等）とすることができる。従って、本実施形態によれば、操作者検出手段３で操作者Ｘを検出し、且つ、入力操作検出手段４で入力操作を検出したことを条件として、警報手段６により発せられる警報音を変更するので、状況に応じて所望の警報音に変更することができ、当該警報音による患者の精神的弊害を低減させることができる。
【００２９】
また、警報音変更手段５が警報手段６により発せられる警報音の音量を低減させるものとすれば、より確実に警報音による患者の精神的弊害を低減させることができるとともに、警報音変更手段５が警報手段６により発せられる警報音の音色を変更させるものとすれば、患者にとってあまり耳障りとならない警報音とすることができ、より患者の精神的弊害を低減させることができる。この警報音変更手段５には、データベースＤが電気的に接続されている。かかるデータベースＤには、操作者識別時の音量、操作者識別時の音色、操作者識別時に鳴動させるスピーカの数や位置或いは変更を解除するまでの時間が記録されている。
【００３０】
次に、上記実施形態に係る動作について、図４のフローチャートに基づいて説明する。
まず、異常検知手段８によって異常（警報状態）の発生の有無が判定され（Ｓ１）、当該異常が発生していると判定されると、操作者検出手段３にて操作者を識別したか否かが判定され（Ｓ２）、操作者を識別した場合、入力操作検出手段４にて操作を検知したか否かが判定される（Ｓ３）。
【００３１】
操作を検知した場合、警報音変更手段５により警報音を設定すべくデータベースＤに記録された設定を読み込む（Ｓ４）。その後、警報を変更している時間が経過したか否かが判定され（Ｓ５）、当該時間が経過した場合、Ｓ４で設定された警報を発する。一方、Ｓ２で操作者を識別していないと判定され、Ｓ３で操作を検知していないと判定され、或いはＳ５で警報を変更している時間が経過していないと判定された場合、標準の警報の設定を読み込み（Ｓ６）、その設定に従いＳ７による警報が発せられる。
【００３２】
次に、本発明に係る第２の実施形態について説明する。
本実施形態に係る血液浄化装置は、第１の実施形態と同様、ベッドＢに横臥又は着座した患者Ｙに対して血液浄化治療を施す装置本体１を具備するとともに、当該装置本体１に対して血液浄化治療に関わる操作者Ｘが入力可能な入力手段２と、患者Ｙ又は装置本体１に異常が生じたとき警報音を発して報知する警報手段６（図５参照）とを有したものである。尚、第１の実施形態の構成要素と同様のものには、同一の符号を付し、それらの詳細な説明を省略する。
【００３３】
操作者検出手段３’は、装置本体１近傍（本実施形態においては装置本体１の正面の操作位置）に操作者Ｘがいるか否かを検出するためのものであり、個人情報送信手段９から無線にて送信された情報を非接触にて読み取り可能な読取手段１０と、判定手段１１とから主に構成されている。個人情報送信手段９は、操作者Ｘに取り付けられ、その操作者Ｘの個人情報（如何なる権限を有する者なのかを特定する情報等）が記録されるとともに当該個人情報を無線にて送信し得るものである。
【００３４】
具体的には、個人情報送信手段９は、読取手段１０に対して情報を送信可能なＩＣタグから成るもので、所謂ユビキタス技術におけるＲＦＩＤ（Radio Frequency Identification）タグと呼ばれるものである。当該個人情報送信手段９は、操作者Ｘが携帯し得るものであってもよく、或いは操作者Ｘが装着したネームプレート等に固定されたものであってもよい。
【００３５】
読取手段１０は、装置本体１に取り付けられたアンテナから成り、個人情報送信手段９から送信された情報を非接触にて読み取り可能とされたものである。而して、個人情報送信手段９が装置本体１の所定範囲内に近づくと、それらから送信された個人情報を読取手段１０にて受信し得るよう構成されている。尚、これに代えて、読取手段１０から照射波が発せられ、この照射波が及ぼされる範囲内に個人情報送信手段９が至ると、当該照射波が反射して生じる反射波に記録された個人情報を乗せて送信し得るよう構成されたものとしてもよい。
【００３６】
判定手段１１は、読取手段１０で読み取られた情報に基づき、装置本体１近傍の操作者Ｘが正当な権限を有する正当操作者（血液浄化治療を施す医療従事者等）であるか否かを判定するためのものであり、当該判定手段１１で正当操作者であると判定され、且つ、入力操作検出手段４で入力操作を検出したことを条件として、警報音変更手段６による警報音の変更を行わせるよう構成されている。尚、警報音の変更については、第１の実施形態と同様である。
【００３７】
本実施形態によれば、正当操作者であると判定されたことを条件として、警報音変更手段６による警報音の変更を行わせるので、正当操作者以外によって不用意に警報音が変更されてしまうのを回避することができる。即ち、本実施形態によれば、個人情報送信手段９、読取手段１０及び判定手段１１を具備することにより、操作者Ｘが装置本体１の操作位置にいることを検出可能とされるのに加え、その検出された操作者が正当操作者であるか否かの判定も可能とされるのである。
【００３８】
以上、本実施形態について説明したが、本発明はこれに限定されるものではなく、例えば警報手段が、装置本体１に取り付けられた複数のスピーカを有して成るとともに、警報音変更手段が、警報音を発する（鳴動する）スピーカを選択し得るよう構成されたものとしてもよい。例えば、患者Ｙ側に向けたスピーカと上方に向けたスピーカとを具備させ、通常時は両方のスピーカによる警報音が発せられるとともに、警報音変更手段５による変更がなされた場合には、上方に向けたスピーカのみが警報音を発するよう選択可能に構成するようにしてもよい。
【００３９】
かかる構成によれば、通常時は両方のスピーカから警報音が発せられるとともに、操作者検出手段で操作者Ｘを検出し、且つ、入力操作検出手段で入力操作を検出したことを条件として、患者Ｙ側に向けたスピーカが停止するので、第１、２の実施形態と同様、周囲の医療従事者への報知を確実に行わせつつ警報音による患者の精神的弊害を低減させることができる。
【００４０】
また、警報音変更手段５により変更された警報音は、所定時間経過後、元の警報音に復帰するよう構成してもよい。この場合、操作者検出手段で操作者を検出し、且つ、入力操作検出手段で入力操作を検出していても、長時間、患者Ｙ又は装置本体１の異常が続いた場合、自動的に変更前の通常の警告音とすることができる。尚、警報音変更手段５により警報音が変更されつつ発せられている間に、異常検知手段８が新規の異常を検知した場合にも、元の警報音に復帰するよう構成してもよい。
【００４１】
更に、上記実施形態においては、操作者の検出と入力操作の検出との２つの条件を満たしたときに警報音を変更するものとされているが、これに代えて、当該２つの条件（操作者の検出及び入力操作の検出）の少なくとも一方の条件を満たしたときに、警報音を変更するよう構成してもよい。また、操作者の検出と入力操作の検出との２つの条件を満たしたとき、或いは何れか一方の条件を満たしたとき、警報音の音量及び音色の両方を変更するよう構成してもよい。
【産業上の利用可能性】
【００４２】
装置本体近傍に操作者がいるか否かを検出する操作者検出手段と、入力手段に対する入力操作の有無を検出する入力操作検出手段と、操作者検出手段による操作者の検出、入力操作検出手段による入力操作の検出の少なくとも何れか一方を条件として、警報手段により発せられる警報音を変更する警報音変更手段とを備えた血液浄化装置であれば、外観形状が異なるもの或いは他の機能が付加されたもの等にも適用することができる。
【図面の簡単な説明】
【００４３】
【図１】本発明の第１の実施形態に係る血液浄化装置を示す模式図
【図２】同血液浄化装置における入力手段の画面表示を示す模式図
【図３】同血液浄化装置を示すブロック図
【図４】同血液浄化装置の動作を示すフローチャート
【図５】本発明の第２の実施形態に係る血液浄化装置を示すブロック図
【符号の説明】
【００４４】
１    装置本体
２    入力手段（タッチパネルモニタ）
３、３’    操作者検出手段
４    入力操作検出手段
５    警報音変更手段
６    警報手段（スピーカ）
７    治療部
８    異常検知手段
９    個人情報送信手段
１０  読取手段（アンテナ）
１１  判定手段
【図１】
0005006743.tif 000002
【図２】
0005006743.tif 000003
【図３】
0005006743.tif 000004
【図４】
0005006743.tif 000005
【図５】
0005006743.tif 000006